(57)【要約】【課題】ＰＳＴＮ（公衆回線）又はＷＡＮの接続操作を容易にする。【解決手段】切り替えスイッチ２４は、初期状態において、電話機コネクタ１２と電話機制御部１８とを接続している。電話機３−１は、電話番号が指定されて電話機３−２に発信を行う。電話機３−２がＰＳＴＮ１に接続されている場合、ＳＩＰサーバは、エラーメッセージを制御部２５に送信する。制御部２５は、エラーメッセージが送信されると、接続不成立と判定し、電話機コネクタ１２と公衆回線１３とを接続するように、切り替えスイッチ２４を制御する。【選択図】図１
2009010789.tif 000002
【特許請求の範囲】
【請求項１】
電話機が接続される電話機接続端子と、
公衆交換電話網に接続される第１の網接続端子と、
前記公衆交換電話網とは異なる通信網に接続される第２の網接続端子と、
前記電話機接続端子と前記第１の網接続端子との接続、又は前記電話機接続端子と前記第２の網接続端子との接続の切り替えを行う接続切り替え部と、
前記電話機接続端子と前記第２の網接続端子とを接続し、前記通信網に接続された相手端末との接続が不成立のときは、前記電話機接続端子と前記第１の網接続端子とを接続するように前記接続切り替え部を制御する切り替え制御部と、を備えた、
ことを特徴とする網切り替え装置。
【請求項２】
前記接続切り替え制御部は、前記相手端末とのデータの送受信を中継する中継装置から、接続エラーを示すエラーメッセージを受信したとき、前記通信網に接続された相手端末との接続が不成立と判定し、前記電話機接続端子と前記第１の網接続端子とを接続するように前記接続切り替え部を制御する、
ことを特徴とする請求項１に記載の網切り替え装置。
【請求項３】
前記公衆交換電話網のみに接続可能な相手端末の電話番号を予め記憶する記憶部を備え、
前記接続切り替え部は、前記電話機接続端子に接続された電話機から、前記記憶部に記憶された電話番号が指定されたとき、前記通信網に接続された相手端末との接続が不成立として、前記電話機接続端子と前記第１の網接続端子とを接続するように前記接続切り替え部を制御する、
ことを特徴とする請求項１に記載の網切り替え制御装置。
【請求項４】
前記電話機から前記電話機接続端子を介して入力されたアナログ音声データをディジタル音声データに変換するデータ変換部を備え、
前記切り替え制御部は、前記データ変換部を介して前記電話機接続端子と前記第２の網接続端子とを接続する、
ことを特徴とする請求項１乃至３のいずれか１項に記載の網切り替え装置。
【請求項５】
電話機が接続される電話機接続端子と、
公衆交換電話網に接続される第１の網接続端子と、
前記公衆交換電話網とは異なる通信網に接続される第２の網接続端子と、
前記電話機接続端子と前記第１の網接続端子との接続、又は前記電話機接続端子と前記第２の網接続端子との接続の切り替えを行う接続切り替え部と、を備えた網切り替え装置の網切り替え方法であって、
前記電話機接続端子と前記第２の網接続端子とを接続するように前記接続切り替え部を制御するステップと、
前記電話機接続端子に接続された前記電話機と前記通信網に接続された相手端末との接続が不成立のときは、前記電話機接続端子と前記第１の網接続端子とを接続するように前記接続切り替え部を制御するステップと、を備えた、
ことを特徴とする網切り替え装置の網切り替え制御方法。
【発明の詳細な説明】
【技術分野】
【０００１】
本発明は、網切り替え装置及び網切り替え装置の網切り替え制御方法に関するものである。
【背景技術】
【０００２】
従来、スイッチ部を備えて、電話機を公衆電話回線（ＰＳＴＮ）及びインターネットのいずれかに接続できるようにした網切り替え装置がある（例えば、特許文献１参照）。
【０００３】
この網切り替え装置は、電話機の使用者によって、電話機に、最初に「＃」が入力され、続いて電話番号が入力されると、発信元（使用者）の電話機と公衆電話回線とを接続する。一方、ＩＰアドレスが入力されると、この網切り替え装置は、発信元の電話機とインターネットとを接続する。
【特許文献１】特開平１１−２２０５４９号公報（第３頁、図１）
【発明の開示】
【発明が解決しようとする課題】
【０００４】
しかし、従来のこのような網切り替え装置では、使用者が電話機に入力する信号によって接続の切り替えを行うようにしている。このため、使用者は、相手先がどちらの回線に接続されているかを判別しなければならず、回線の選択操作は容易ではない。
【０００５】
本発明は、このような従来の問題点に鑑みてなされたもので、回線の選択操作が容易な網切り替え装置及び網切り替え制御方法を提供することを目的とする。
【課題を解決するための手段】
【０００６】
この目的を達成するため、本発明の第１の観点に係る網切り替え装置は、
電話機が接続される電話機接続端子と、
公衆交換電話網に接続される第１の網接続端子と、
前記公衆交換電話網とは異なる通信網に接続される第２の網接続端子と、
前記電話機接続端子と前記第１の網接続端子との接続、又は前記電話機接続端子と前記第２の網接続端子との接続の切り替えを行う接続切り替え部と、
前記電話機接続端子と前記第２の網接続端子とを接続し、前記通信網に接続された相手端末との接続が不成立のときは、前記電話機接続端子と前記第１の網接続端子とを接続するように前記接続切り替え部を制御する切り替え制御部と、を備えたことを特徴とする。
【０００７】
前記接続切り替え制御部は、前記相手端末とのデータの送受信を中継する中継装置から、接続エラーを示すエラーメッセージを受信したとき、前記通信網に接続された相手端末との接続が不成立と判定し、前記電話機接続端子と前記第１の網接続端子とを接続するように前記接続切り替え部を制御するようにしてもよい。
【０００８】
前記公衆交換電話網のみに接続可能な相手端末の電話番号を予め記憶する記憶部を備え、
前記接続切り替え部は、前記電話機接続端子に接続された電話機から、前記記憶部に記憶された電話番号が指定されたとき、前記通信網に接続された相手端末との接続が不成立として、前記電話機接続端子と前記第１の網接続端子とを接続するように前記接続切り替え部を制御してもよい。
【０００９】
前記電話機から前記電話機接続端子を介して入力されたアナログ音声データをディジタル音声データに変換するデータ変換部を備え、
前記切り替え制御部は、前記データ変換部を介して前記電話機接続端子と前記第２の網接続端子とを接続するようにしてもよい。
【００１０】
本発明の第２の観点に係る網切り替え装置の網切り替え制御方法は、
電話機が接続される電話機接続端子と、
公衆交換電話網に接続される第１の網接続端子と、
前記公衆交換電話網とは異なる通信網に接続される第２の網接続端子と、
前記電話機接続端子と前記第１の網接続端子との接続、又は前記電話機接続端子と前記第２の網接続端子との接続の切り替えを行う接続切り替え部と、を備えた網切り替え装置の網切り替え方法であって、
前記電話機接続端子と前記第２の網接続端子とを接続するように前記接続切り替え部を制御するステップと、
前記電話機接続端子に接続された前記電話機と前記通信網に接続された相手端末との接続が不成立のときは、前記電話機接続端子と前記第１の網接続端子とを接続するように前記接続切り替え部を制御するステップと、を備えたことを特徴とする。
【発明の効果】
【００１１】
本発明によれば、回線網の選択操作が容易になる。
【発明を実施するための最良の形態】
【００１２】
以下、本発明の実施の形態に係る網切り替え装置を図面を参照して説明する。
本実施形態に係る網切り替え装置、この網切り替え装置を含む通信システムの構成を、それぞれ、図１、図２に示す。
【００１３】
図２に示すように、この通信システムは、ＰＳＴＮ１と、ＷＡＮ２と、電話機３−１，３−２と、ＳＩＰサーバ４と、直流電源５と、網切り替え装置６と、によって構成される。
【００１４】
ＰＳＴＮ（Public Switched Telephone Network）１は、公衆交換電話網である。
【００１５】
ＷＡＮ（Wide Area Network）２は、インターネット（Internet）、ＬＡＮ（Local Area Network；構内通信網）等を含む広域ネットワークであり、ＰＳＴＮ１とは異なる通信網である。
【００１６】
電話機３−１、３−２は、発信先と通話するためのものである。電話機３−１は、ＰＳＴＮ１専用の電話機であり、電話機３−２はＩＰ電話機、又は一般加入者インタフェースに準拠した電話機等である。
【００１７】
ＳＩＰサーバ４は、ＳＩＰ（Session Initiation Protocol）に従って、電話機３−１，３−２間のメッセージを中継するものである。ＳＩＰサーバ４は、例えば、電話機３−１が電話機３−２に対して電話番号を指定して発信したときに、指定された発信先の電話機３−２がＷＡＮ２に接続されていなかったり、電話機３−２が話し中の状態だったりしたとき、制御部２５にエラーメッセージを送信する。
【００１８】
直流電源５は、網切り替え装置６の電力源であり、網切り替え装置６に電圧を印加し、電流を供給する。
【００１９】
網切り替え装置６は、網の切り替え制御を行い、電話機３−１と電話機３−２との接続を行う装置である。網切り替え装置６は、図１に示すように、初期化スイッチ１１と、電話機コネクタ１２と、公衆回線コネクタ１３と、ＷＡＮコネクタ１４と、ＬＡＮコネクタ１５と、電源コネクタ１６と、電源回路１７と、電話機制御部１８と、フックスイッチ１９と、電話回線制御部２０と、リング検出回路２１と、電流検出回路２２と、表示ランプ２３と、切り替えスイッチ２４と、制御部２５と、を備える。
【００２０】
初期化スイッチ１１は、各種設定を初期化するためのスイッチである。
電話機コネクタ１２は、図２に示す電話機３−１を接続するための接続端子である。
【００２１】
公衆回線コネクタ１３は、網切り替え装置６を、図２に示すＰＳＴＮ１に接続するための接続端子である。
【００２２】
ＷＡＮコネクタ１４は、網切り替え装置６を、図２に示すＷＡＮ２に接続するための接続端子である。
【００２３】
ＬＡＮコネクタ１５は、網切り替え装置６をＬＡＮに接続するための接続端子である。
【００２４】
電源コネクタ１６は、図２に示す直流電源５を接続するための接続端子である。
電源回路１７は、直流電源５から電源コネクタ１６を介して供給された電圧を定電圧化するための回路であり、ＤＣ−ＤＣコンバータ（図中、「ＤＣ−ＤＣ」と記す。）３１と、レギュレータ（図中、「ＲＥＧ」と記す。）３２と、を備える。
【００２５】
ＤＣ−ＤＣコンバータ３１は、直流電源５の直流電圧を、網切り替え装置６の駆動用の直流電圧に変換するものである。ＤＣ−ＤＣコンバータ３１は、直流電源５の直流電圧を、例えば、３．３Ｖの直流電圧に変換する。
【００２６】
レギュレータ３２は、ＤＣ−ＤＣコンバータ３１が変換した直流電圧を、さらに、異なる直流電圧に変換するものである。レギュレータ３２は、異なる直流電圧として、ＤＣ−ＤＣコンバータ３１が変換した３．３Ｖの直流電圧を、例えば、１．５Ｖの直流電圧に変換する。
【００２７】
電話機制御部（ＳＬＩＣ；Subscriber Line Interface Circuit ；加入者ループインタフェース回路）１８は、電話機３−１から電話機コネクタ１２を介して入力されたアナログ音声データをディジタル音声データに変換するものである。また、電話機制御部１８は、ＶｏＤＳＬ通信においてＣＯＤＥＣによりデジタル−アナログ変換された音声信号を２線−４線変換し、電話機３−１，３−２の選択信号を検出する機能も備える。
【００２８】
フックスイッチ１９は、フックスイッチ１９、ＰＳＴＮ回路４１、公衆回線コネクタ１３により形成されるダイヤル信号送出用の直流ループを開閉するためのスイッチである。フックスイッチ１９がオンになると、電話機３−１の受話器（図示せず）を挙げた状態と同様の電気状態が形成される。
【００２９】
フックスイッチ１９は、加入しているＰＳＴＮ１の種類がダイヤル回線である場合、制御部２５から、パルス信号を発生させるためのオン、オフ信号が供給される。
【００３０】
フックスイッチ１９は、制御部２５から供給されたオン、オフ信号に基づいて、電話機３−２を指定するパルス信号を発生させ、ダイヤル信号を公衆回線コネクタ１３に送出する。
【００３１】
電話回線制御部２０は、ダイヤル信号の発信、着信を行うものであり、ＰＳＴＮ回路４１と、Ａ／Ｄ変換器４２と、Ｄ／Ａ変換器４３と、トランス４４と、を備える。
【００３２】
ＰＳＴＮ回路４１は、ＤＴＭＦ（Dual Tone Multi Frequency）信号を公衆回線コネクタ１３に送出し、ＰＳＴＮ１から公衆コネクタ１３を介して供給されたＤＴＭＦ信号を受信する回路である。
【００３３】
Ａ／Ｄ変換器４２は、ＰＳＴＮ回路４１からトランス４４を介して供給されたアナログ信号をディジタルデータに変換するものであり、変換したディジタルデータを制御部２５に供給する。
【００３４】
Ｄ／Ａ変換器４３は、制御部２５から供給されたディジタルデータをアナログ信号に変換するものであり、変換したアナログ信号を、トランス４４を介してＰＳＴＮ回路４１に供給する。
【００３５】
トランス４４は、ＰＳＴＮ回路４１とＡ／Ｄ変換器４２、ＰＳＴＮ回路４１とＤ／Ａ変換器４３とを絶縁しつつ、ＰＳＴＮ回路４１からのアナログ信号をＡ／Ｄ変換器４２に供給し、Ｄ／Ａ変換器４３からのアナログ信号をＰＳＴＮ回路４１に供給するものである。
【００３６】
リング検出回路２１は、着信音を検出する回路である。リング検出回路２１は、ＩＰ通話で通話中の場合、ＣＰＵ１１０から供給された音声データに着信通知音を混合する。
【００３７】
ＷＡＮ２に接続された電話機３−２がＩＰ電話であり、この電話機３−２と通話中の場合に、ＰＳＴＮ１からの着信を検出すると、リング検出回路２１は、この着信検出をＣＰＵ１１０に通知する。ＣＰＵ１１０は、リング検出回路２１からの着信検出の通知を受けて、通話中の音声データに着信音を混合する。
【００３８】
電流検出回路２２は、通話の有無を監視するものである。表示ランプ２３は、例えば、ＬＥＤによって構成され、各種表示を行うためのものである。
【００３９】
切り替えスイッチ２４は、電話機コネクタ１２と公衆回線コネクタ１３との接続、又は電話機制御部１８を介して電話機コネクタ１２とＷＡＮコネクタ１４、ＬＡＮコネクタ１５との接続の切り替えを行うものである。
【００４０】
切り替えスイッチ２４は、端子ｐ１，ｐ２、ｐ１１，ｐ１２，ｐ１３，ｐ１４を有し、端子ｐ１，ｐ２は、電話機コネクタ１２に接続される。端子ｐ１１は公衆回線コネクタ１３に接続され、端子ｐ１３は、電流検出回路２２に接続される。端子ｐ１２，ｐ１４は、電話機制御部１８に接続される。
【００４１】
切り替えスイッチ２４が端子ｐ１と端子ｐ１２とを接続し、端子ｐ２と端子ｐ１４とを接続することにより、電話機コネクタ１２と電話機制御部１８とを接続する。
【００４２】
また、切り替えスイッチ２４は、端子ｐ１と端子ｐ１１とを接続し、端子ｐ２とｐ１３とを接続することにより、電話機コネクタ１２と公衆回線コネクタ１３とを接続する。
【００４３】
制御部２５は、網切り替え装置６全体を制御するものであり、図３に示すように、フォトカプラ１０１と、セレクタ１０２と、フォトカプラ１０３と、ＰＨＹ１０４，１０５と、発振器（図中、「ＯＳＣ」と記す。）１０６，１０７と、ＲＯＭ１０８と、ＳＤ−ＲＡＭ１０９と、ＣＰＵ１１０と、を備える。
【００４４】
フォトカプラ１０１は、ＣＰＵ１１０により供給されるダイヤル信号に従って、フックスイッチ１９をオン、オフするものであり、オン、オフすることによりダイヤル信号をＰＳＴＮ１に送出する。
【００４５】
セレクタ１０２は、ＰＳＴＮ回路４１、リング検出回路２１、電流検出回路２２の検出信号のうちからいずれかの信号を選択するためのものである。
【００４６】
フォトカプラ１０３は、セレクタ１０２を介して供給された信号をＣＰＵ１１０に供給するものである。
ＰＨＹ１０４，１０５は、Ethernet（登録商標）回線を制御する回路である。
【００４７】
発振器１０６は、例えば、発振周波数4.096MHzの周波数信号を生成するものであり、生成した周波数信号をＣＰＵ１１０に供給する。
【００４８】
発振器１０７は、例えば、発振周波数25MHzの周波数信号を生成するものであり、生成した周波数信号をＣＰＵ１１０と、ＰＨＹ１０４，１０５と、に供給する。
【００４９】
ＲＯＭ１０８は、ＣＰＵ１１０が実行するプログラム等のデータを記憶するものである。ＲＯＭ１０８は、プログラムデータとして、電話機３−１と電話機３−２との接続と通話とを制御する通話制御処理のプログラムデータを記憶する。
【００５０】
ＳＤ−ＲＡＭ１０９は、ＣＰＵ１１０が実行に必要な作業データ等を記憶するものである。ＲＯＭ１０８、ＳＤ−ＲＡＭ１０９は、ローカルバスを解してＣＰＵ１１０に接続される。
【００５１】
ＣＰＵ１１０は、電話機３−１から、電話番号が指定されて発信が行われると、ＲＯＭ１０８から、通話制御処理のプログラムデータを読み出して、この処理を実行する。
【００５２】
ＣＰＵ１１０は、電話機３−１から、電話機３−２の電話番号が指定されて発信が行われたとき、ＳＩＰサーバ４からの通知に基づいて、接続が成立したか否かを判定し、この判定結果に基づいて切り替えスイッチ２４を制御する。
【００５３】
一方、ＣＰＵ１１０は、ＳＩＰサーバ４から、接続エラーを示すエラーメッセージを受信したときは、発信先の電話機３−２との接続が不成立と判定し、電話機コネクタ１２と公衆回線コネクタ１３とを接続するように切り替えスイッチ２４を制御し、通話の制御を行う。
【００５４】
このとき、公衆回線コネクタ１３に接続されたＰＳＴＮ１がダイヤルパルス回線である場合、ＣＰＵ１１０は、フックスイッチ１９をオン、オフする信号を、フォトカプラ１０１に供給する。
【００５５】
一方、プッシュホン回線である場合、ＣＰＵ１１０は、フォトカプラ１０１にオン信号を供給してフックスイッチ１９をオンする一方、Ｄ／Ａ変換器４３にダイヤル信号に対応するディジタルデータを供給する。
【００５６】
また、ＣＰＵ１１０は、Ａ／Ｄ変換器４２から、着信ダイヤルに対応するディジタルデータが供給されたとき、このディジタルデータを電話機制御部１８に供給する。
【００５７】
次に本実施形態に係る網切り替え装置６の動作を説明する。
網切り替え装置６は、電話機コネクタ１２に電話機３−１が接続され、公衆回線コネクタ１３がＰＳＴＮ１に接続され、ＷＡＮコネクタ１４がＷＡＮ２に接続された状態で直流電源５から電流が供給され、電圧が印加される。
【００５８】
直流電源５から電流が供給され、電圧が印加されると、網切り替え装置６のＣＰＵ１１０は、ＰＳＴＮ１のダイヤル種別を検出し、電話機コネクタ１２と電話機制御部１８とを接続するように切り替えスイッチ２４を制御する。
【００５９】
電話機３−１から、電話番号が指定されて発信が行われると、アナログのダイヤル信号が電話機制御部１８に供給される。電話機制御部１８は、ダイヤル信号をディジタルデータに変換し、変換したディジタルのダイヤル信号をＣＰＵ１１０に供給する。
【００６０】
ＣＰＵ１１０は、このダイヤル信号をＳＤ−ＲＡＭ１０９に記憶するとともに、ＲＯＭ１０８から、発信制御処理のプログラムデータを読み出し、図４に示すフローチャートに基づいて、この処理を実行する。
【００６１】
ＣＰＵ１１０は、ＷＡＮコネクタ１４にダイヤル信号を発信する（ステップＳ１１）。
【００６２】
ＣＰＵ１１０は、発信先の電話機３−２への接続が不成立か否かを判定する（ステップＳ１２）。
【００６３】
指定された発信先の電話機３−２がＷＡＮ２に接続され、話し中ではなかった場合、ＳＩＰサーバ４は、エラーメッセージを送信しない。ＣＰＵ１１０は、エラーメッセージを受信しなければ、発信先の電話機３−２への接続が成立したと判定する（ステップＳ１２；Ｎｏ）。この場合、ＣＰＵ１１０は、通話を開始する（ステップＳ１３）。
【００６４】
ＣＰＵ１１０は、通話が終了したか否かを判定する（ステップＳ１４）。
通話が終了していないと判定した場合（ステップＳ１４；Ｎｏ）、ＣＰＵ１１０は、通話が終了するまで待機する。
【００６５】
通話が終了したと判定した場合（ステップＳ１４；Ｙｅｓ）、ＣＰＵ１１０は、回線を切断し（ステップＳ１５）、この通話制御処理を終了させる。
【００６６】
一方、指定された発信先の電話機３−２がＷＡＮ２に接続されていなかったり、電話機３−２が話し中の状態だったりしたとき、ＳＩＰサーバ４は、網切り替え装置６に、エラーメッセージを送信する。
【００６７】
ＣＰＵ１１０は、このエラーメッセージを受信して発信先の電話機３−２への接続が不成立と判定する（ステップＳ１２；Ｙｅｓ）。
【００６８】
この場合、ＣＰＵ１１０は、フォトカプラ１０１又はＤ／Ａ変換器４３に信号を供給して、ＰＳＴＮ１への接続が成立した否かを判定する（ステップＳ１６）。
【００６９】
回線音を示す信号が供給されなかったとき、ＣＰＵ１１０は、ＰＳＴＮ１への接続が成立しなかったと判定する（ステップＳ１６；Ｎｏ）。
【００７０】
この場合、ＣＰＵ１１０は、電話機３−１に、接続不成立の通知を行う（ステップＳ１７）。
【００７１】
そして、ＣＰＵ１１０は、電話機３−１から、受話器が置かれた場合のオンフック信号が供給されたとき、この発信制御処理を終了させる。
【００７２】
一方、回線音を示す信号が供給されたとき、ＣＰＵ１１０は、ＰＳＴＮ１への接続が成立したと判定する（ステップＳ１６；Ｙｅｓ）。
【００７３】
この場合、ＣＰＵ１１０は、記憶したダイヤル信号をＳＤ−ＲＡＭ１０９から読み出してＰＳＴＮ１にダイヤル信号を発信する（ステップＳ１８）。
【００７４】
ＰＳＴＮ１がダイヤルパルス回線である場合、ＣＰＵ１１０は、フックスイッチ１９をオンにし、Ａ／Ｄ変換器４２で回線音を判別し、ＰＳＴＮ１の接続を判定する。そして、ＣＰＵ１１０は、フックスイッチ１９をオン、オフする信号を、フォトカプラ１０１に供給することにより、ＰＳＴＮ１にダイヤル信号を発信する。
【００７５】
一方、プッシュホン回線である場合、ＣＰＵ１１０は、フックスイッチ１９をオンにし、Ａ／Ｄ変換器４２で回線音を判別し、ＰＳＴＮ１の接続を判定する。そして、ＣＰＵ１１０は、フォトカプラ１０１にオン信号を供給してフックスイッチ１９をオンする一方、Ｄ／Ａ変換器４３にダイヤル信号に対応するディジタルデータを供給することにより、ＰＳＴＮ１にダイヤル信号を発信する。
【００７６】
そして、ＣＰＵ１１０は、公衆回線コネクタ１３と、電話機コネクタ１２とを接続するように、切り替えスイッチ２４を制御し（ステップＳ１９）、通話を開始する（ステップＳ２０）。
【００７７】
ＣＰＵ１１０は、通話が終了したか否かを判定する（ステップＳ２１）。
通話が終了していないと判定した場合（ステップＳ２１；Ｎｏ）、通話を継続させる（ステップＳ２０）。
【００７８】
通話が終了したと判定した場合（ステップＳ２１；Ｙｅｓ）、ＣＰＵ１１０は、回線を切断する。
【００７９】
ＣＰＵ１１０は、ダイヤル信号送出後、電話機コネクタ１２と電話機制御部１８とを接続するように、切り替えスイッチ２４を制御し（ステップＳ２２）、フックスイッチ１９をオフにする。そして、ＣＰＵ１１０は、この通話制御処理を終了させる。
【００８０】
次に、網切り替え装置６の動作を、さらに具体的に説明する。
切り替えスイッチ２４は、初期状態において、電話機コネクタ１２と電話機制御部１８とを接続する。
【００８１】
図５に示すように、接続先の電話３−２には、例えば、０××−１２３４−５６７８という電話番号が設定されているものとする。また、まず、電話機３−１が電話機３−２の電話番号０××−１２３４−５６７８を指定して発信するものとする。
【００８２】
電話機３−２がＷＡＮ２に接続されている場合、ＳＩＰサーバ４は、網切り替え装置６の制御部２５（ＣＰＵ１１０）に、電話機３−２がＷＡＮ２に接続されている旨のメッセージを送信する。
【００８３】
制御部２５は、このメッセージを受信すると、電話機コネクタ１２と電話機制御部１８とが接続されているため、電話機３−１から、電話機コネクタ１２、電話機制御部１８、ＷＡＮコネクタ１４、ＷＡＮ２を介し、電話機３−２までの通信ラインが形成される。
【００８４】
この通信ラインが形成されて、電話機３−１は、電話機３−２との間で通話を行う（ステップＳ１３の処理）。そして、制御部２５は、通話が終了したと判定すると（ステップＳ１４の処理）、回線を切断する（ステップＳ１５の処理）。
【００８５】
一方、図６に示すように、電話機３−２がＷＡＮ２に接続されていなかったり、話し中の状態だったりした場合、ＳＩＰサーバ４は、制御部２５にエラーメッセージe_msgを送信する。
【００８６】
制御部２５は、このエラーメッセージe_msgを受信すると、電話機３−２との接続が不成立と判定し（ステップＳ１２；Ｙｅｓ）、図１に示す電話回線制御部２０を制御し、電話機３−２の電話番号０××−１２３４−５６７８を指定するダイヤル信号をＰＳＴＮ１へ向けて発信する。
【００８７】
ＰＳＴＮ１への発信が完了すると、制御部２５は、電話機コネクタ１２と公衆回線コネクタ１３とを接続するように、切り替えスイッチ２４を制御する（ステップＳ１９の処理）。
【００８８】
電話機コネクタ１２と公衆回線コネクタ１３とが接続されると、電話機３−１から、電話機コネクタ１２、切り替えスイッチ２４、公衆回線コネクタ１３、ＰＳＴＮ１を介して、電話機３−２までの通信ラインが形成される。
【００８９】
電流検出回路２２が通話の終了を検出すると、制御部２５は、通話終了と判定し（ステップＳ２１；Ｙｅｓ）、電話機コネクタ１２と電話機制御部１８とを接続するように、切り替えスイッチ２４を制御して、元の状態に復帰させる（ステップＳ２２の処理）。
【００９０】
尚、ＰＳＴＮ１からの着信時、制御部２５は、リング検出回路２１がリングを検出すると、回線音を発生させ、電話機３−１の受話器が挙げられたことを検出して、電話機コネクタ１２と公衆回線コネクタ１３とを接続するように、切り替えスイッチ２４を制御する。
【００９１】
さらに、ＷＡＮ２を介しての通話中に、ＰＳＴＮ１からの着信があった場合には、リング検出回路２１はリングを検出して話中着信を通知する音を発生させる。
【００９２】
また、制御部２５は、電話機コネクタ１２と公衆回線コネクタ１３とを接続するように、切り替えスイッチ２４を制御する。このようにして、話中着信通知も可能となる。
【００９３】
以上説明したように、本実施形態によれば、制御部２５は、ＳＩＰサーバ４からエラーメッセージe_msgを受信すると、接続が不成立と判定して電話機コネクタ１２と公衆回線コネクタ１３とを接続するように、切り替えスイッチ２４を制御するようにした。
【００９４】
従って、発信元の電話機３−１の使用者は、発信先の電話機３−２がＷＡＮ２に接続されているか、ＰＳＴＮ１に接続されているかを意識することなく、電話機３−２の電話番号を入力するだけでＰＳＴＮ１又はＷＡＮ２に接続され、この選択操作が容易となる。
【００９５】
また、電話回線制御部２０は、電話回線に対してダイヤルするだけの機能に限定されているので、Ａ／Ｄ変換器４２又はＤ／Ａ変換器４３を含めて通話音声を通さないことにより回路を簡略化することができる。
【００９６】
尚、本発明を実施するにあたっては、種々の形態が考えられ、上記実施の形態に限られるものではない。
例えば、上記実施の形態では、発信先を電話機３−２とした。しかし、発信先は、コンピュータであってもよい。
【００９７】
上記実施形態では、ＳＩＰサーバ４がＷＡＮ２に接続されているものとして説明した。しかし、網切り替え装置６が、ＳＩＰサーバ４を備えるようにしてもよい。また、ＳＩＰサーバ４を備えずに、網切り替え装置６が、電話機３−２を直接発信して、電話機３−２がＷＡＮ２に接続されているか否かを判別するようにしてもよい。
ＰＳＴＮ回路４１の検出部分と、リング検出回路２１の検出部分と、電流検出回路２２と、は１つの回路を共用することも可能であり、このようにすることで、コストダウンを図ることもできる。
【００９８】
また、発信先の電話番号が１１０、１１９等の場合のように、発信先がＰＳＴＮ１のみでしか通話を行えない発信先である場合もある。この場合、網切り替え装置６は、以下のように構成されてもよい。
【００９９】
即ち、ＲＯＭ１０８は、この発信先の電話番号のテーブルデータを予め記憶する。このテーブルに保存されている電話番号が電話機３−１によって指定された場合、ＣＰＵ１１０は、ＷＡＮ２における接続が不成立か否かの判定処理を行わずに、不成立としてはじめからダイヤル信号をＰＳＴＮ１に発信する。
【０１００】
そして、ＣＰＵ１１０は、電話機コネクタ１２と公衆回線コネクタ１３とを接続するように切り替えスイッチ２４を制御する。
【図面の簡単な説明】
【０１０１】
【図１】本発明の実施形態１に係る網切り替え装置の構成を示すブロック図である。
【図２】図１に示す網切り替え装置を含む通信システムの構成を示すブロック図である。
【図３】図１に示す制御部の構成を示すブロック図である。
【図４】図１に示す制御部が実行する通話制御処理を示すフローチャートである。
【図５】発信先の電話機がＷＡＮに接続されている場合の具体的な動作を示す図である。
【図６】発信先の電話機がＰＳＴＮに接続されている場合の具体的な動作を示す図である。
【符号の説明】
【０１０２】
１  ＰＳＴＮ
２  ＷＡＮ
３−１，３−２  電話機
４  ＳＩＰサーバ
６  網切り替え装置
２４  切り替えスイッチ
２５  制御部
１１０  ＣＰＵ
【図１】
2009010789.tif 000003
【図２】
2009010789.tif 000004
【図３】
2009010789.tif 000005
【図４】
2009010789.tif 000006
【図５】
2009010789.tif 000007
【図６】
2009010789.tif 000008